(57)【特許請求の範囲】
【請求項１】
第１無線電話システム（２８、３０、３２、３４）および第２無線電話システム（１０、１１、１２、１６、１８、２０）において動作しうる無線電話（２２）であって、前記第１無線電話システムは、局部化された動作領域（２４）を有しており、該無線電話は、該無線電話が前記第１無線電話システムの前記局部化された動作領域に近づき、または、入るときに、前記第２無線電話システムでの電話へ向けられた呼びを前記第１無線電話システムへと転送させる呼び送り機能を開始させるコマンドを前記第２無線電話システムへ自動的に送信するように動作する感知手段を備えているような無線電話において、該無線電話は、前記第１無線電話システムの前記動作領域からの出口におけるセンサへの接近を検出することにより該無線電話が前記第１無線電話システムの前記動作領域を出るときを検出し且つ該検出に応答して前記第１無線電話システムでの呼びが前記第２無線電話システムへ転送されるようにする補助サービスを自動的に呼び出すように動作するように構成されたことを特徴とする無線電話。
【請求項２】
前記第１無線電話システムは、コードレスシステムであり、前記第２無線電話システムは、セルラーシステムである請求項１に記載の無線電話。
【請求項３】
前記第１無線電話システムでの呼びが前記第２無線電話システムへ転送されるようにする前記補助サービスの呼び出しを手動にてオーバーライドするように動作しうるようにした請求項１または２に記載の無線電話。
【請求項４】
該無線電話は、前記第１無線電話システムの動作領域を出るときに、補助サービスメッセージを前記第２無線電話システムへ送信して、前記第２無線電話システムから前記第１無線電話システムへ呼びを送るための前記呼び送り機能をキャンセルするように自動的に動作するように構成された請求項１または２または３に記載の無線電話。
【発明の詳細な説明】
【０００１】
【発明の属する技術分野】
本発明は、無線電話に関し、特に、２つ以上のシステムにおいて動作しうる無線電話およびこの種の無線電話を動作させる方法に関するものである。
【０００２】
【従来の技術】
無線電話システムの使用および利用性は、ここ１０年において、急速に広まり且つ高まってきている。このような無線電話システムの普及の一端を担うものとして、ユーザに種々なサービス、地域的利用範囲および料金を提供する種々な型の無線電話システムが開発されてきている。これらの種々異なる無線電話システムの多くは、互いにカバーする地域的領域が互いに全く同じであるか、または、互いにカバーする地域的領域が部分的に重なるかしているものである。
【０００３】
典型的には、種々異なる無線システムは、互いに、種々異なる無線周波数にて動作し、互いに、種々異なる変調技術、信号技術、システム内プロトコル等を使用しているものである。したがって、１つのシステムに対して設計された無線電話は、一般的には、別のシステムにては使用できないものである。このために、もし、ユーザが２つ以上のシステムにアクセスしたい場合には、２つ以上の無線電話を所有するか、または、２つ以上のシステムにおいて動作しうるような無線電話を所有するか、する必要がある。２つ以上の無線電話を所有することは、ユーザにとっては不便である。２つ以上のシステムにて動作しうる既知の無線電話は、典型的には、２つ以上の別々の電話を単一のハウジング内に組み合わせてなるものである。特定のシステムにおいて動作させたいかは、米国特許第４９８９２３０号明細書に開示されたように、ユーザが決めることである。
【０００４】
多重モード無線電話を使用するに特に有用で且つ適した環境は、近年利用しうるようになったセルラーおよびコードレス電話システムである。従来技術においては、コードレス電話は、典型的には、家屋およびオフィス内において使用され、ユーザがその家屋およびオフィス内に配置されたホームベースステーションとのＲＦリンクを通してその家屋内のどこでも電話を掛けたり電話を受けたりすることができるようにするものである。
【０００５】
この種のコードレス電話は、公衆交換電話ネットワーク（ＰＳＴＮ）に接続されたユーザの電話陸線に、ホームベースステーションを介して接続される。また、第二世代のコードレス電話システムとして、デジタルシステムであるＣＴ−２またはＤＥＣＴの如きものが知られている。この種のＣＴ−２またはＤＥＣＴシステムは、例えば、ユーザの家屋の外とか、鉄道のステーションとか、ショッピング街とか、空港とかのようなより公共性のある場所におけるベースステーションとＣＴ−２またはＤＥＣＴ無線電話との間にＲＦリンクをユーザに確立させるようにすることにより、コードレス電話の通常の屋内動作を越えた範囲での使用を可能とする。この種のベースステーションは、テレポイントベースステーションとして知られており、ホームベースステーションと全く同じようにして、ＰＳＴＮにリンクされるものである。ある種のコードレス（および特定のＤＥＣＴにおける）無線電話は、今では、テレポイントベースステーションを介して電話を受けることができるが、これまでは、電話を掛けることしかできなかったのである。このようなシステムについては、国際特許出願ＷＯ９２／０３００６に開示されている。かくして、コードレス電話システムにおいては、各地域を徘徊しながら電話を掛けたり受けたりすることができるのである。
【０００６】
しかしながら、コードレス電話システムは、一般的には、低パワーシステムであり、各ベースステーションは、コードレス電話の送受話器とそのベースステーションとの間での信号のやりとりの障害となるような地形であるか建造物があるかにもよるが、そのベースステーションから半径ほぼ１５０メートルの範囲内しか通信できないものである。このようなシステムは、一般的には、ユーザの密集度の高い領域でしか使用されず、したがって、都市領域に限られがちである。これでは、明らかに、ＣＴ−２、ＤＥＣＴ等のコードレス電話ユーザの地域的行動範囲に制約が課せられてしまう。
【０００７】
従来技術においては、例えば、直径３５ｋｍの広い地域的領域（セル）をカバーするいくつかのベースステーションを有する、いわゆるセルラー無線電話システムが知られている。しかしながら、ユーザの密集度の高い都市領域においては、それらセルは、周波数の再使用を容易として、通信チャンネル密度を増大させるために、それよりもはるかに小さく、より低いパワーにて動作するものとされている。
【０００８】
セルラーシステムは、ユーザが広い領域にわたって電話を掛けたり受けたりできるようにするものであるので、コードレスシステムに優るいくつかの利点を有している。その上、セルラーシステムは、移動している乗物において使用するのに適している。何故ならば、セルラー電話システムは、ユーザの乗物が１つのセルからもう一つ別のセルへと移動するときに、それらセル間の切り換えを容易に行えるようにする巧妙な引継ぎ方法を採用しているからである。こうすることにより、サービスの継続性を確保しており、これは、通話中において特に重要なことである。しかし、セルラー電話の通話料金は、コードレス電話の通話料金よりも相当に高い。何故ならば、コードレス電話による通話は、ユーザの陸線ＰＳＴＮリンクを介してなされ、陸線電話と同じ料金であるが、セルラー電話による通話は、費用の掛かるセルラーベースステーションおよびセルラー交換装置を介してなされ、陸線電話による通話料金よりはるかに高いのである。
【０００９】
ユーザが単一の無線電話の送受話器を通してセルラー電話システムおよびコードレス電話システムの両方を使用できるようにするために、いわゆるセルラーコードレス電話（ＣＣＴ）が、米国特許第４９８９２３０号明細書にて提案されている。
【００１０】
【発明が解決しようとする課題】
２つ以上のシステムにおいて動作しうる無線電話の場合には、１つのシステムにおいて動作している電話は、他のシステムから入ってくる呼びを受け損なってしまうことがある。本発明の目的は、このような問題を解消することである。
【００１１】
【課題を解決するための手段】
本発明によれば、動作領域が局部化された１つの無線電話システムを含む少なくとも２つの無線電話システムにおいて動作しうる無線電話であって、該無線電話が前記局部化された動作領域に近づき、または、入るときに、前記１つの無線電話システムの影響を検出し且つ他のシステムにて、この他のシステムでの電話へ向けられた呼びを前記１つの無線電話システムの前記動作領域へと転送させる呼び送り機能を開始させるように動作する感知手段を備えていることを特徴とする無線電話が提供される。
【００１２】
前記１つの無線電話システムは、複数の影響および動作領域を有しており、この場合において、前記感知手段は、各領域において前記１つの無線電話システムの影響を検出し且つ前記複数の領域のうちのどの領域に入りつつあるのか、または近づいているのかを識別して、その電話に対する呼びをその適当な領域へと送れるように動作する。
【００１３】
好ましい実施の形態においては、前記１つの無線電話システムは、コードレス電話システム（ＤＥＣＴの如き）であり、前記他方の無線電話システムは、セルラーシステム（ＧＳＭの如き）であるが、本発明は、任意の２つのシステム（時には、モードと称される）において動作しうる無線電話に適用しうるものである。
【００１４】
本無線電話は、領域を出るときに、補助サービスメッセージを他方のシステムへ送信して、その呼び送り機能をキャンセルするように動作するようにしてもよい。別の仕方としては、本無線電話は、その呼び送り機能をキャンセルするため手動操作しうる手段を備えてもよい。
【００１５】
ここに説明するような送受話器および無線システムを使用することにより、ユーザは、常に、どの無線システムが選択されているとしても、自分の送受話器にて電話を受けることができる。また、ユーザは、単一の電話番号で電話を受けることができるのと同様にして、２つ以上の電話番号でもって電話を受けることができる。
【００１６】
【発明の実施の形態】
次に、添付図面に基づいて、本発明の無線電話の実施の形態について、この無線電話が動作する２つの無線システムとともに、説明する。
【００１７】
図１を参照するに、２つの無線システムのうちの第１の無線システムは、広い地域的領域にわたって動作する公衆セルラーシステム（ＧＳＭの如き）である。このセルラーシステムは、公衆交換電話ネットワーク（ＰＳＴＮ）にリンクされた移動交換センター（ＭＳＣ）１０を有する。このＭＳＣ１０は、確認センター１２にリンクされており、参照番号１１で示す呼び送り機能を与える。このＭＳＣ１０は、複数のベーストランシーバステーション１８にサービスするベースステーションコントローラ１６に、通常は、ハードワイアドリンク１４によってリンクされている。各ベーストランシーバコントローラ１８は、ハードワイヤによって、ベースステーションコントローラ１６に接続されており、且つ、複数の無線電話へ無線信号を送信したり、複数の無線電話からの無線信号を受信したりするアンテナ２０を有している。図１には、これら無線電話のうちの１つが、参照番号２２にて示されている。各無線電話２２は、携帯用送受話器の形のものである。
【００１８】
第二の無線システムは、専用コードレスシステム（ＤＥＣＴの如き）であり、オフィスの如き別々の地域的領域２４にサービスしている。実際においては、このコードレスシステムは、多数の別々のオフィスビルディングの如き複数の別々の領域にサービスしうるものであり、このような別々の領域は、図１において参照番号２６にて示されている。各領域内において、コードレスシステムは、ハードワイヤによってＰＳＴＮに接続されたＰＢＸ（時には、ＰＡＢＸと称される）２８を有している。このＰＢＸ２８は、コードレスコントローラ３０に接続されており、そのコードレスコントローラ３０は、アンテナ３４を各々有した複数の無線固定部３２にリンクされている。このコードレスシステムは、ＰＢＸ内に参照番号２７で示す呼び送り機能を有している。
【００１９】
携帯用送受話器２２は、二重モード送受話器であり、すなわち、この携帯用送受話器２２は、そのユーザがアンテナ３４のレンジ内にいる限り、セルラーシステムでも、コードレスシステムでも、動作しうるものである。送受話器２２は、トランシーバステーション１８または無線固定部３２と２方向無線通信を行うためのアンテナ２１を有している。この送受話器２２は、そのセルラーシステムにおいて割り当てられた電話番号と、そのコードレスシステムにおいて割り当てられた別の異なる電話番号とを有している。したがって、一方のシステムでの呼びが、ユーザが他方のシステムにいる間は、そのユーザに達しない可能性がある。本発明は、呼び送り機能を始動させる手段を送受話器に設けることにより、このような問題を解消している。
【００２０】
もし、送受話器２２がセルラーシステムの広いカバーレイジエリア内にいる場合には、その送受話器２２は、通常の方法にて、隣接する適当なベーストランシーバステーション１８を介して、呼びを発したり、呼びを受けたりする。ＰＳＴＮは、その送受話器２２の位置にしたがって、移動交換センター１０および適当なベーストランシーバステーション１８を通して、到来する呼びの経路指示を行う。
【００２１】
送受話器２２がセルラーシステムにおいて動作している間、コードレスシステムにおけるその送受話器２２への呼びは、そのユーザのセルラーの電話番号をそのユーザのコードレスの電話番号へと関連付けることのできる呼び送り機能２７によって、自動的にセルラーシステムへと（ＰＳＴＮを介して）送られる。
【００２２】
そのユーザがコードレスシステムによってサービスされている領域２４に入るとき、その送受話器（このとき図１に示した位置にある）は、コードレスシステムの影響内に来ていることを、自動的に検出する。こうするために、送受話器２２は、感知手段２９を有しており、この感知手段２９は、ユーザが領域２４に近づき、または入るときに、コードレスシステムの影響を検出する。送受話器２２は、そのシステムアイデンティティーを判定し、コードレスシステムにロックする。送受話器は、そのシステムアイデンティティーをチェックして、アクセス権を有することを確認する。ＤＥＣＴにおいては、これは、典型的には、内部に記憶されたアイデンティティーデータに対してＰＡＲＩ（主アクセス権アイデンティティー）をチェックすることによって行われる。
【００２３】
このとき、送受話器２２は、コードレスシステム情報を獲得する必要があり、これは、その送受話器２２がその送受話器に記憶された情報からＰＢＸ電話番号を読み出すことにより行われるか、または、その送受話器がこの送受話器とコードレスシステムアンテナ３４のうちの一つとの間に確立された無線インターフェイスを通してＰＢＸ電話番号を得ることによって行われる。
【００２４】
それから、送受話器２２は、移動交換センター１０における呼び送り機能１１を始動させるコマンド信号をセルラーシステムへ自動的に送信する。この呼び送り機能１１が働いている限り、その送受話器から発せられたすべての呼びは、ＰＳＴＮを通してＰＢＸ２８へと経路指示され、且つ、その送受話器２２への入来呼びのすべてはＰＢＸ２８を通して経路指示される。このような動作モードは、送受話器２２がコードレスシステムの領域２４にとどまっている間、続く。
【００２５】
ユーザが領域２４を去るとき、そのコードレスモードは終わる。この時点で、送受話器は、呼び送り機能１１をキャンセルするために、セルラーシステムへ補助サービスメッセージを自動的に送る。ユーザは、手動操作にて、そのコードレス領域を最後に出る前に、呼び送り機能２７を呼び出すことにより、コードレスシステムにおける入来呼びをセルラーシステムへと送るように命令することができる。
【００２６】
送受話器２２が領域２４を去るときにコードレスシステムとの通信が切れてしまうことは、自動呼び送りを行う上で特定の問題が生ずるであろう。このような問題は、ビルディングの出口に特別なセンサ（マイクロセルの如き）を設けることにより、克服できる。ユーザが出口に近づくとき、センサに接近したことが送受話器によって検出され、自動的に補助サービスが呼び出されて、コードレスシステムにおける入来呼びがセルラーシステムへと経路指示させられるようになる。このような自動動作は、送受話器での手動制御によってオーバーライドされ得て、ユーザがその領域から一時的に出るがそのコードレスシステムにとどまりたいような場合に対処できる。
【図面の簡単な説明】
【図１】２つの無線システムおよびこれと協動する無線電話を示すブロック図である。
【符号の説明】
１０  移動交換センター
１１  呼び送り機能
１２  確認センター
１４  ハードワイアドリンク
１６  ベースステーションコントローラ
１８  ベーストランシーバステーション
２０  アンテナ
２２  無線電話
２４  地域的領域
２６  別の領域
２７  呼び送り機能
２８  ＰＢＸ
２９  感知手段
３０  コードレスコントローラ
３２  無線固定部
３４  アンテナ
【図１】
0003766705.tif 000002